(57)【特許請求の範囲】
【請求項１】
ゴンドラ本体の下部外面に、上方が開口する横樋を横方向に配設し、該横樋の両側に、該横樋側が開口する縦樋を、その下端を前記横樋に連接して上下方向に配設したことを特徴とする作業用ゴンドラ。
【請求項２】
ゴンドラ本体における前面側と一方の側面側を開口し、前記横樋が、前記前面側開口部と側面側開口部に配置され、前記前面側開口部における前部の横樋は左右方向に配設し、前記側面側開口部における側部の横樋は前後方向に配設するとともに、これら両横樋を連接し、前記縦樋は、前記前部の横樋における前記側部の横樋との連接側と反対側に設けた前部の縦樋と、前記側部の横樋における前記前部の横樋との連接側と反対側に設けた後部の縦樋とからなり、前記前部の横樋側が開口する前部の縦樋を、その下端を前記前部の横樋に連接して配設し、前記側部の横樋側が開口する後部の縦樋を、その下端を前記側部の横樋に連接して配設したことを特徴とする請求項１記載の作業用ゴンドラ。
【請求項３】
前記横樋と縦樋を弾性材で形成するとともに、該横樋と縦樋の長手方向と直交する横断面形状を凹状に形成したことを特徴とする請求項１又は２記載の作業用ゴンドラ。
【発明の詳細な説明】
【技術分野】
【０００１】
本発明は作業用ゴンドラに関するもので、詳しくは、既設建物等において、外壁面の洗浄、補修、塗装等の作業をする場合に、その作業者が乗る作業用ゴンドラに関する。
【背景技術】
【０００２】
従来、前記のような作業用ゴンドラにおいて、その作業用ゴンドラの前側の下部に、建物の外壁面に接する受板を突設し、洗浄作用により外壁面から落下する洗浄液（廃液）を前記受板で受けて、廃液が地上へ落下しないようにしたものが知られている。
【発明の開示】
【発明が解決しようとする課題】
【０００３】
前記のように、作業用ゴンドラの前側の下部のみに受板を突設するものにおいては、洗浄等の作業時に、外壁面に対して左右方向へ飛散した洗浄液等の飛散物を捕獲収集できず、建物の外部へ飛散する問題がある。
【０００４】
そこで、本発明は、前記のように、外壁面の左右方向へ飛散する飛散物も良好に捕集できる作業用ゴンドラを提供することを目的とするものである。
【課題を解決するための手段】
【０００５】
前記の課題を解決するために、請求項１記載の発明は、ゴンドラ本体の下部外面に、上方が開口する横樋を横方向に配設し、該横樋の両側に、該横樋側が開口する縦樋を、その下端を前記横樋に連接して上下方向に配設したことを特徴とするものである。
【０００６】
請求項２記載の発明は、請求項１記載の発明において、ゴンドラ本体における前面側と一方の側面側を開口し、前記横樋が、前記前面側開口部と側面側開口部に配置され、前記前面側開口部における前部の横樋は左右方向に配設し、前記側面側開口部における側部の横樋は前後方向に配設するとともに、これら両横樋を連接し、前記縦樋は、前記前部の横樋における前記側部の横樋との連接側と反対側に設けた前部の縦樋と、前記側部の横樋における前記前部の横樋との連接側と反対側に設けた後部の縦樋とからなり、前記前部の横樋側が開口する前部の縦樋を、その下端を前記前部の横樋に連接して配設し、前記側部の横樋側が開口する後部の縦樋を、その下端を前記側部の横樋に連接して配設したことを特徴とするものである。
【０００７】
請求項３記載の発明は、請求項１又は２記載の発明において、前記横樋と縦樋を弾性材で形成するとともに、該横樋と縦樋の長手方向と直交する横断面形状を凹状に形成したことを特徴とするものである。
【発明の効果】
【０００８】
本発明によれば、作業用ゴンドラの横樋と縦樋を建物の外壁面に接触させて、その外壁面の洗浄を行うことにより、外壁面を落下する洗浄後の廃液は、横樋上に落下する。また、外壁面の左右方向に飛散した廃液は、作業用ゴンドラの左右側に設けられた両側縦樋に当り、左右方向から外部へ飛散することが防止される。
【０００９】
しかも、この左右の縦樋に当った廃液は、この両縦樋を流下して、該両縦樋の下端に連接した横樋へ誘導され、該横樋から所定の場所へ排出される。
【００１０】
また、前記廃液以外の飛散物の外部への飛散も防止される。
従って、飛散物の外部への飛散防止と捕集が良好に行える。
【００１１】
また、請求項２記載の発明によれば、更に、建物の外壁面の入隅部における前記の飛散防止と飛散物の捕集が良好に行える。
【図面の簡単な説明】
【００１２】
【図１】本発明の実施例１の作業用ゴンドラの配置例を示す略平面図。
【図２】本発明の実施例１の作業用ゴンドラを示す斜視図。
【図３】図２の一部を示す平断面図。
【図４】図３の前面図。
【図５】図３の底面図。
【図６】図４におけるＥ−Ｅ線断面図。
【図７】本発明の実施例２の作業用ゴンドラを建物の入隅部に配置した状態の略平面図。
【図８】本発明の実施例２の作業用ゴンドラを示す斜視図。
【図９】図８の一部を示す平断面図。
【図１０】図９の底面図。
【発明を実施するための形態】
【００１３】
本発明を実施するための形態を図に示す実施例に基づいて説明する。
【実施例１】
【００１４】
図１乃至図６は本発明の実施例１を示す。
本実施例１は、建物における外壁面において、その洗浄、補修、塗装作業を一平面の外壁面１０４で行う場合に使用する作業用ゴンドラに適用した実施例である。
【００１５】
図１では、この実施例１の作業用ゴンドラ１を建物１０１の外壁１０２における出隅部１０３の近傍の外壁面１０４に配置した状態を示す。
【００１６】
図２乃至図６はこの実施例１の作業用ゴンドラ１を示す。
図において作業用ゴンドラ１は、建物１０１の外壁面１０４に沿って昇降可能に配置され、ワイヤ３０を巻回した周知の昇降駆動手段３１により昇降される。
【００１７】
作業用ゴンドラ１のゴンドラ本体１ａは周知の構成のものを使用でき、その前側Ａ、すなわち、建物１０１の外壁面１０４と対向する側は開口し、作業者がゴンドラ本体１ａ内から、前部開口部１ｇを通じて建物１０１の壁面１０４の洗浄作業等が行えるようになっている。
【００１８】
なお、図においてＡを前側、Ｂを後側とし、このＡ−Ｂと直交する方向Ｃ−Ｄを左右方向とし、このＡ−Ｂ方向とＣ−Ｄ方向を横方向とする。
【００１９】
前記ゴンドラ本体１ａの底板１ｂの周囲には、ゴンドラ本体１ａの下部に位置して、前枠板１ｃ、後枠板１ｄ、左右の側枠板１ｅが立設されている。
【００２０】
前記前枠板１ｃの前側には、前部の横樋（以下、前横樋という）３Ａが、ゴンドラ本体１ａの左右方向に配置されている。該前横樋３Ａは、長手方向（左右方向）と直交する横断面が図６に示すように、底片３ｂ、内側突片３ａ、外側突片３ｃにより、上方が開口する凹状に形成されて樋溝３ｆが形成され、左右方向がゴンドラ本体１ａの左右方向全長にわたる長尺に形成されている。また、該前横樋３Ａは、可撓性を有し、かつ、復元性を有する（腰を有する）材質で形成され、例えば、発泡ポリエチレン、ゴム等の弾性材で形成されている。更に、該前横樋３Ａの内側突片３ａは前記前枠板１ｃにボルト・ナット等の取付手段３ｅにより固着されている。
【００２１】
前記前横樋３Ａは、前記ゴンドラ本体１ａの底板１ｂの下面から前側へ突出する支持部材４で支持されている。該支持部材４は、上下方向に可撓性を有し、かつ、復元性を有する（腰を有する）金属製の短冊状の板材で形成され、その基部側４ａを前記床板１ｂの下面にボルト・ナット等の取付手段４ｂにより固着し、先部４ｄを自由端として前記前横樋３Ａの下面に当接し、前横樋３Ａを摺動可能に支承している。また、該支持部材４は、左右方向Ｃ−Ｄにおいて適宜間隔を有して複数設けられている。
【００２２】
前記床板１ｂの下面には、通水箱５が固設されており、該通水箱５は、底板５ａと周壁５ｂを有し、上方が開口し、その上端鍔部５ｃがゴンドラ本体１ａの底板１ｂに固着されている。該通水箱５の底板５ａには出口穴５ｄが形成され、周壁５ｂの前側壁５ｅには入口穴５ｆが形成されている。該出口穴５ｄと入口穴５ｆは、左右方向において、相互に偏芯して形成されている。
【００２３】
前記前横樋３Ａと前記通水箱５とは、連通樋（呼び樋）６で連通されている。該連通樋６は、入口管６ａと出口管６ｂからなり、入口管６ａは図６に示すように、前記前横樋３Ａに形成した排出口３ｇに連通し、出口管６ｂは、前記通水箱５に向って水平方向に配置され、その先部６ｃは、その直径を前記入口穴５ｆの直径より小さくして、入口穴５ｆに対し、摺動可能に挿入されている。
【００２４】
前記の構成により、ゴンドラ本体１ａが建物１０１方向（図６の矢印Ｘ方向）へ異常に移動し、前横樋３Ａがゴンドラ本体１ａ側（反矢印方向側）へ異常に押された場合には、前横樋３Ａが前記支持部材４上をゴンドラ本体１ａ側へ移動したり上下に傾いて、入口管６ａと出口管６ｂが通水箱５方向へ移動し、緩衝する。
【００２５】
前記通水箱５の底板５ａの下面側には、排水ホース９が、その上端口を前記底板５ａの出口穴５ｄに連通して、適宜の取付手段１０により吊り下げ状態に設けられている。
【００２６】
前記排水ホース９は、可撓性を有し、かつ、耐圧性、折れ防止の高いフレキシブルパイプで形成され、例えば、可撓性（屈曲性）を有する樹脂パイプ９ａの外周に、樹脂製のコイル９ｂを巻設した市販のものを使用してもよい。また、該ホース９の直径は約２０〜３０ｍｍのものを使用する。
【００２７】
なお、この排水ホース９の長さは洗浄時の作業をする建物１０１に合せて、その作業部から地上に達する長さに設定する。
【００２８】
前記ゴンドラ本体１ａにおける底板１ｂの下側には、金属製のケーブルやワイヤやワイヤーロープ等、引張りに強く、可撓性を有する線状部材（以下ケーブルという）１３が、その上端をゴンドラ本体１ａの底板１ｂに保持されて吊り下げ状態に設けられている。該ケーブル１３の保持手段１４としては、例えば、図６に示すように床板１ｂにフック１５を設け、該フック１５にケーブル１３の上端に設けた環状部１３ａを引っ掛ける。なお、該ケーブル１３の上端をゴンドラ本体１ａに連結するとは、ゴンドラ本体１ａに直接連結したり、ゴンドラ本体１ａに強固に設けられた部材に連結することも含むものとする。
【００２９】
該ケーブル１３は、その長さを、前記ホース９と同長に形成し、かつ、ホース９に近接して並行に配置されている。
【００３０】
前記ホース９とケーブル１３とは、その軸方向（長手方向）において、適宜間隔を有して複数配置した連結手段１６で連結されている。
【００３１】
前記前横樋３Ａの左右方向の両端には、左側において上下方向に配置された前部の縦樋（以下、前縦樋という）３Ｂと、右側において上下方向に配置された前部の縦樋（以下、前縦樋という）３Ｃが、その下端で連接されている。
【００３２】
該左右の前縦樋３Ｂ，３Ｃは、前記前横樋３Ａと同一材料で一体に、すなわち、前横樋３Ａと左右の前縦樋３Ｂ，３Ｃの長さの総合計の長さを有する一体の樋を、前横樋３Ａの両側部で上方へ折曲して継目なく形成されている。該左右の縦樋３Ｂ，３Ｃは、前記の前横樋３Ａと同様に、その横断面形状が、底片３ｂ、内側突片３ａ、外側突片３ｃにより、ゴンドラ本体１ａの左右方向の中央側に向って、すなわち、前横樋３Ａ側に向って開口する凹状に形成されている。従って、前横樋３Ａの各片３ａ，３ｂ，３ｃと左右の縦樋３Ｂ，３Ｃの各片３ａ，３ｂ，３ｃは連続し、かつ、前横樋３Ａの樋溝３ｆと左右の縦樋３Ｂ，３Ｃの樋溝３ｆは連通している。
【００３３】
前記左側の前縦樋３Ｂは、ゴンドラ本体１ａの前側における左側の縦枠１ｈの前側に位置して固着され、右側の前縦樋３Ｃは、ゴンドラ本体１ａの前側における右側の縦枠１ｉの前側に位置して固着されている。この固着構造は、前記前横樋３Ａと枠板１ｃとの取付構造と同様である。すなわち、左右の前縦樋３Ｂ，３Ｃの内側突片３ａが取付手段３ｅにより縦枠１ｈ，１ｉに取付けられ、底片３ｂが、縦枠１ｈ，１ｉに、前記と同様の支持部材４を設けて該支持部材４で支持されている。なお、前記両縦樋３Ｂ，３Ｃの上方への長さは所定の長さに設定される。
【００３４】
前記の構成により、ゴンドラ本体１ａの前部開口部１ｇにおける下縁部と左右縁部において、該前部開口部１ｇを一連に囲む樋が形成され、かつ、前横樋３Ａと左右の前縦樋３Ｂ，３Ｃの各外側突片３ｃの外面が略同一平面に位置される。なお、前記ゴンドラ本体１ａの左右の側面２０，２１と後面２２と上面２３は、図２に示すように、養生ネット２４が張設され、洗浄液等が、ゴンドラ本体１ａ内から外部へ飛散しないようになっている。
【００３５】
次に、前記実施例１の作業用ゴンドラ１による作業と、作用、効果について説明する。
前記作業用ゴンドラ１を、図１に示すように、その前部開口部１ｇを有する前側Ａを建物１０１側に向け、建物１０１の出隅部１０３における一方の外壁面（単一の平面）１０４に配置し、昇降手段３１により建物１０１の作業位置に置く。なお、作業用ゴンドラ１の配置は、図１のような、出隅部１０３の近傍に限らず、他の一平面部に配置してもよい。
【００３６】
前記のように、配置された作業用ゴンドラ１を、その前横樋３Ａと左右の前縦樋３Ｂ，３Ｃの外側突片３ｃが、外壁面１０４に当接又は圧接するように吊下げる。この当接又は圧接は、作業用ゴンドラ１の自重又は作業用ゴンドラ１を壁面方向へ押圧する公知の手段で行う。
【００３７】
これにより、作業用ゴンドラ１の前部開口部１ｇの下側における作業用ゴンドラ本体１ａと外壁面１０４との間は前横樋３Ａにより閉塞され、前部開口部１ｇの左右側におけるゴンドラ本体１ａと外壁面１０４との間は左右の前縦樋３Ｂ，３Ｃにより閉塞される。このとき、前横樋３Ａ及び左右の前縦樋３Ｂ，３Ｃは弾性材で形成されているため、各外側突片３ｃの外壁面１０４への密着性がよく、閉塞が良好に行われる。
【００３８】
また、ゴンドラ本体１ａが揺動して建物の外壁面１０４側へ移動し、前横樋３Ａが異常に押された場合は、前横樋３Ａ、入口管６ａ、出口管６ｂが通水箱５側へ移動し、前横樋３Ａの損傷を防止する。
【００３９】
そして、ゴンドラ本体部１ａ内の作業者が、前部開口部１ｇを通じて外壁面１０４の洗浄作業を行うと、その洗浄後の廃液が外壁面１０４を伝って流下するか、外壁面１０４の近傍において落下する。これらの廃液は、前横樋３Ａ内に入り、その後、排出口３ｇ、連通樋６、通水箱５内へ落下し、更に、ホース９により適宜場所へ排出される。
【００４０】
したがって、一平面内での洗浄液の建物外部への飛散が良好に防止でき、かつ、飛散した洗浄廃液の捕集が良好に行われる。
【００４１】
なお、前記の例は、外壁面の洗浄作業について説明したが、本発明の前記の作業用ゴンドラは、外壁面の補修、塗装作業においても使用し、補修、塗装により飛散する飛散物の建物外部への飛散を防止することができる。
なお、補修、塗装の作業においては、前記排出口３ｇは、粘着テープ等で閉塞する。
【実施例２】
【００４２】
図７乃至図１０は実施例２を示す。
本実施例２は、図７に示すように、建物１０１の外壁１０２が、建物１０１の内側へ突出する入隅部１０６、すなわち、外壁１０２の２つの外壁面１０７，１０８が、建物の外側部での相互の角度が９０°で交わる部分の外壁面を洗浄、補修、塗装する場合に、本発明を適用する実施例である。
【００４３】
本実施例２において、作業用ゴンドラ１Ａのゴンドラ本体部１ａは、前記の作業用ゴンドラ１に対し、その一方の側面２０は養生ネット２４が張設されておらず開口され、前面の後述するＬ１の範囲には養生ネット２４が張設されている点が相違し、その他の構造は前記実施例１のゴンドラ本体部１ａと同様である。そのため、前記実施例１のゴンドラ本体部１ａと同様の部分には、前記と同一符号を付してその説明は省略する。
【００４４】
前記ゴンドラ本体部１ａの前板１ｃの前側には、前記実施例１と同様の前横樋３Ａが前記と同様の取付構造により配置されている。該前横樋３Ａは、前記実施例１と同様の弾性材で形成され、かつ、前記と同様に横断面が、上方が開口する凹状に形成されている。該前横樋３Ａにおいて、前記実施例１と同一部分には、前記と同一符号を付してその説明を省略する。
【００４５】
前記前横樋３Ａの左右方向の他方の側部（右側部）には、前記実施例１の前縦樋３Ｃと同様の前縦樋３Ｃが一連に設けられている。
【００４６】
該前縦樋３Ｃは、前記の前横樋３Ａと同様の弾性材で形成され、かつ、前記と同様に横断面が凹状に形成されている。該前縦樋３Ｃにおいて、前記実施例１と同一部分には前記と同一符号を付してその説明を省略する。
【００４７】
なお、前記前縦樋３Ｃは、ゴンドラ本体１Ａの左右方向の他方の側部（右側Ｄ部）の端より所定量Ｌ１分内側に入った位置に設けられており、ゴンドラ本体１ａに設けた縦枠１ｋに前記実施例１の前縦樋３Ｃと同様の取付構造により取付けられている。
【００４８】
前記前縦樋３Ｃとゴンドラ本体１ａの他方の側端（右側Ｄ）との間（Ｌ１部分）は、養生ネット２４が張設されている。
【００４９】
ゴンドラ本体１ａの一方の側面２０は、養生ネット２４は張設されておらず開口されており、ゴンドラ本体１ａ内から、作業者が、この一方の側面２０の側面側開口部２０ａを通じて建物の外壁面の洗浄等の作業が行えるようになっている。
【００５０】
ゴンドラ本体１ａにおける下部の一方（左側）の側枠体１ｅの外側には、側方へ突出する側部の横樋（以下側横樋という）３Ｄがゴンドラ本体１ａの前後方向において配置されている。該側横樋３Ｄは、前記前横樋３Ａと同様の弾性材で形成され、かつ、その長手方向（前後方向）と直交する横断面が前記前横樋３Ａと同様に、上方が開口する凹状に形成されている。該側縦樋３Ｄにおいて、前記実施例１と同一部分には前記と同一符号を付してその説明を省略する。更に、該側横樋３Ｄは、ゴンドラ本体１ａの前後方向の全長に亘って設けられ、その前側、すなわち、前記前横樋３Ａ側が、前横樋３Ａと一体的に連通しているとともに、前記前横樋３Ａ側が若干下降するように傾斜している。
【００５１】
したがって、側横樋３Ｄの各片３ａ，３ｂ，３ｃと前記前横樋３Ａの各片３ａ，３ｂ，３ｃは連続し、かつ、側横樋３Ｄの樋溝３ｆと前記前横樋３Ａの樋溝３ｆは連通している。
【００５２】
なお、前記側横樋３Ｄの前記側枠体１ｅに対する取付け構造は、前記前横樋３Ａと同様である。
【００５３】
前記ゴンドラ本体１ａにおける前記側横樋３Ｄが取り付けられた一方の側面２０の後部には側方へ突出する後部の縦樋（以下、後縦樋という）３Ｅが上下方向に配置されている。該後縦樋３Ｅは、前記前横樋３Ａと同様の弾性材で形成され、かつ、その長手方向（上下方向）と直交する横断面が前記前横樋３Ａと同様に凹状に形成されている。すなわち、前記の側横樋３Ｄ側が開口している。前記後縦樋３Ｅにおいて、前記実施例１と同一部分には前記と同一符号を付してその説明を省略する。更に、該後縦樋３Ｅは、ゴンドラ本体１ａの上下方向の全長に亘って設けられ、その下端が側横樋３Ｄの後端と連接している。なお、該後縦樋３Ｅと側横樋３Ｄは、一枚の樋を途中で曲折して形成されている。
【００５４】
したがって、後縦樋３Ｅの各片３ａ，３ｂ，３ｃと側横樋３Ｄの各片３ａ，３ｂ，３ｃは連続し、かつ、後縦樋３Ｅの樋溝３ｆと側横樋３Ｄの樋溝３ｆは連通している。
【００５５】
該後縦樋３Ｅは、図９に示すように、ゴンドラ本体１ａの後部隅部に設けられた後部縦枠１ｎに、前記前横樋３Ａと同様の取付構造で取り付けられている。そのため、前記と同一部分には、前記と同一の符号を付してその説明を省略する。
【００５６】
次に、実施例２における作業用ゴンドラ１Ａによる作業と、作用、効果について説明する。
【００５７】
図７に示すように、建物１０１の外壁１０２における入隅部１０６において、前記の作業用ゴンドラ１Ａを、その前横樋３Ａの外側突片３ｃと、前縦樋３Ｃの外側突片３ｃが、直交する一方の外壁面１０７に当接し、側横樋３Ｄの外側突片３ｃが他方の外壁部１０８に当接し、後縦樋３Ｅの外側突片３ｃが他方の外壁面１０８に当接するように配置する。
【００５８】
これにより、ゴンドラ本体１ａの前部開口部１ｇを通じて外壁面１０７の洗浄等の作業を行い、側面側開口部２０ａを通じて外壁面１０８の洗浄等の作業を行う。
【００５９】
この作業において、入隅部１０６の一方の外壁面１０７から落下した洗浄後の廃液等は、前横樋３Ａの樋溝３ｆ上に落下する。また、入隅部１０６の他方の外壁面１０８から落下した廃液等は側横樋３Ｄの樋溝３ｆ内に落下し、その後、前横樋３Ａの樋溝３ｆ内へ流れる。
【００６０】
また、両外壁面１０７，１０８から側方へ飛散した廃液等は、前縦樋３Ｃ及び後縦樋３Ｅに当って外部への飛散が阻止され、その廃液等は、前縦樋３Ｃから前横樋３Ａ上へ流れ、また、後縦樋３Ｅから側横樋３Ｄ上へ流れた後に、前横樋３Ａ上へ流されて、前横樋３Ａ上に捕集される。
【００６１】
そして、前記のように前横樋３Ａに流れてた廃液は、前記実施例１と同様に、排水口３ｇから排水ホース９を経て所定の場所へ排出される。
【００６２】
したがって、前記実施例２の作業用ゴンドラ１Ａによれば、これを建物の壁面の入隅部に配置することにより、その配置状態で入隅部の直交した両外壁面の洗浄等の作業が容易に行えるとともに、その作業で落下、飛散した廃液等の外部への飛散を防止できる。そのため、１つの入隅部での作業において、作業用ゴンドラの配置換えする手間を要しない。
【符号の説明】
【００６３】
１，１Ａ  作業用ゴンドラ
１ａ  ゴンドラ本体
３Ａ  前部の横樋
３Ｂ，３Ｃ  前部の縦樋
３Ｄ  後部の縦樋
【図１】
0005551046.tif 000002
【図２】
0005551046.tif 000003
【図３】
0005551046.tif 000004
【図４】
0005551046.tif 000005
【図５】
0005551046.tif 000006
【図６】
0005551046.tif 000007
【図７】
0005551046.tif 000008
【図８】
0005551046.tif 000009
【図９】
0005551046.tif 000010
【図１０】
0005551046.tif 000011